(57)【要約】【課題】洗濯機本体の上部枠体の開口部を覆う蓋体の裏面にマグネットを収納する収納部を設けた洗濯機において、蓋体の主要部を透明にして洗濯兼脱水槽内の衣類の状態を確認できるようにするとともにデザイン性に優れ、部品点数、金型費を削減し、生産性を向上してコストを低減する。【解決手段】洗濯機本体１の上方を上部枠体１７により覆い、この上部枠体１７の開口部３０を蓋体２６ａ、２６ｂにより開閉自在に覆うよう構成する。蓋体２６ａは、透明または半透明な材料で形成し、その周縁に非透明部３１を一体に形成し、非透明部３１の裏面内に蓋開検知用のマグネット３２を収納する収納部３３を一体に設ける。【選択図】　図１
2004113276.tif 000002
【特許請求の範囲】
【請求項１】
洗濯機本体と、この洗濯機本体の上方を覆う上部枠体と、この上部枠体の開口部を開閉自在に覆う蓋体とを備え、前記蓋体は、透明または半透明な材料で形成し、その周縁に非透明部を一体に形成し、前記非透明部の裏面内に蓋開検知用のマグネットを収納する収納部を一体に設けた洗濯機。
【請求項２】
蓋体の周縁にシボ加工を施し、非透明部を形成した請求項１記載の洗濯機。
【請求項３】
蓋体は、収納部を一体成型により設けるときのスライドパーティングラインを周縁の非透明部の裏面内に設けた請求項１または２記載の洗濯機。
【請求項４】
収納部は蓋体前面の中央より左右にずらした位置に設け、収納を構成する金型のスライド方向を中央側に向けて横方向とした請求項１〜３のいずれか１項に記載の洗濯機。
【請求項５】
マグネットを収納する収納部の両側に、蓋体を閉じたときに上部枠体と当接する蓋ゴムを設けた請求項１〜４のいずれか１項に記載の洗濯機。
【請求項６】
マグネットを収納する収納部を構成する金型のスライド方向を蓋体の外周の接線方向とした請求項１〜５のいずれか１項に記載の洗濯機。
【発明の詳細な説明】
【０００１】
【発明の属する技術分野】
本発明は、洗濯機本体の上部枠体の開口部を覆う蓋体の裏面にマグネットを収納する収納部を設けた洗濯機に関するものである。
【０００２】
【従来の技術】
従来、この種の洗濯機は図９および図１０に示すような構成が一般的であった。以下、その構成について説明する。
【０００３】
図９および図１０に示すように、洗濯機本体１は、内部に洗濯槽２を支持し、この洗濯機本体１の上部に上部枠体３を装着し、上部枠体３の略中央部に衣類を投入する開口部４を形成し、蓋体５で覆っている。また、上部枠体３の後部に電磁給水弁６と注水口部材７を内蔵し、後方パネル部材８で覆っている。
【０００４】
また、上部枠体３の前部にプリント基板収納部９を形成し、このプリント基板収納部９を上方より覆設し、かつボタン１０を有する前方操作パネル部材１１を設け、この前方操作パネル部材１１の裏面にスイッチを有する操作用制御装置１２を装着している。また、上部枠体３には漂白剤などの洗濯用補助剤を投入する洗濯用補助剤投入口１３を形成している。
【０００５】
蓋体５にマグネット１４を固着し、このマグネット１４と操作用制御装置１２に装着したリードスイッチ１５とで、蓋体５の開放を検知するようにしている。ここで、蓋体５は主要部を透明部材で構成するとともに、マグネット１４を収納する収納部１６を設けるため、少なくとも収納部１６を設ける蓋体５の周縁を不透明部材で構成するのが一般的である（例えば、特許文献１）。
【０００６】
【特許文献１】
特開平９−５６９８０号公報
【０００７】
【発明が解決しようとする課題】
このような従来の構成では、蓋体５は、主要部を構成する透明部材と、蓋体５の周縁を構成する不透明部材との２部材で２重構造としているため、部品点数が多い上、加工工数が多く、金型費用が高くなってコスト高になるという問題を有していた。
【０００８】
本発明は上記の従来の課題を解決するもので、蓋体の主要部を透明にして洗濯兼脱水槽内の衣類の状態を確認できるようにするとともにデザイン性に優れ、部品点数、金型費を削減し、生産性を向上してコストを低減することを目的としている。
【０００９】
【課題を解決するための手段】
本発明は上記目的を達成するために、洗濯機本体の上方を上部枠体により覆い、この上部枠体の開口部を蓋体により開閉自在に覆うよう構成し、蓋体は、透明または半透明な材料で形成し、その周縁に非透明部を一体に形成し、非透明部の裏面内に蓋開検知用のマグネットを収納する収納部を一体に設けたものである。
【００１０】
これにより、蓋体の主要部を透明にして洗濯兼脱水槽内の衣類の状態を確認できるとともにデザイン性に優れ、部品点数、金型費を削減できて、生産性を向上することができ、コストを低減することができる。
【００１１】
【発明の実施の形態】
本発明の請求項１に記載の発明は、洗濯機本体と、この洗濯機本体の上方を覆う上部枠体と、この上部枠体の開口部を開閉自在に覆う蓋体とを備え、前記蓋体は、透明または半透明な材料で形成し、その周縁に非透明部を一体に形成し、前記非透明部の裏面内に蓋開検知用のマグネットを収納する収納部を一体に設けたものであり、蓋体の主要部を透明にして洗濯槽内の衣類の状態を確認できるとともに、蓋体の表面より蓋開検知用のマグネットが見えることがなく、デザイン性に優れ、部品点数、金型費を削減できて、生産性を向上することができ、コストを低減することができる。
【００１２】
請求項２に記載の発明は、上記請求項１に記載の発明において、蓋体の周縁にシボ加工を施し、非透明部を形成したものであり、非透明部を簡単、確実に、かつ安価に形成することができる。
【００１３】
請求項３に記載の発明は、上記請求項１または２に記載の発明において、蓋体は、収納部を一体成型により設けるときのスライドパーティングラインを周縁の非透明部の裏面内に設けたものであり、蓋体の表面より成型時のスライドパーティングラインが見えることがなく、デザイン性を損なうのを防ぐことができる。
【００１４】
請求項４に記載の発明は、上記請求項１〜３に記載の発明において、収納部は蓋体前面の中央より左右にずらした位置に設け、収納を構成する金型のスライド方向を中央側に向けて横方向としたものであり、成型時のスライドパーティングラインの幅を狭くすることができ、蓋体の周縁に形成する非透明部の範囲を小さくすることができ、そのため、蓋体の透明部の範囲を大きくすることができ、清潔感あるデザインにすることができる。
【００１５】
請求項５に記載の発明は、上記請求項１〜４に記載の発明において、マグネットを収納する収納部の両側に、蓋体を閉じたときに上部枠体と当接する蓋ゴムを設けたものであり、係止部を構成する金型のスライド範囲を避けた部分に蓋ゴムを設けるため、蓋ゴムを蓋体の非透明部の裏面に配設することができ、デザイン性を損なうことなく、蓋体を閉じたときの上部枠体と当たり音を低減することができる。
【００１６】
請求項６に記載の発明は、上記請求項１〜５に記載の発明において、マグネットを収納する収納部を構成する金型のスライド方向を蓋体の外周の接線方向としたものであり、操作用制御装置の電装部品の配置によりリードスイッチの位置の変更にかかわらず、蓋体の非透明部の範囲内に金型のスライドラインを収めることができ、デザイン性を損なうことなく、蓋開検知用のマグネットを収納する収納部を一体に設けることができる。
【００１７】
【実施例】
以下、本発明の実施例について、図面を参照しながら説明する。なお、従来例と同じ構成のものは同一符号を付して説明を省略する。
【００１８】
（実施例１）
図１に示すように、上部枠体１７は、洗濯機本体１の上部を覆い、洗濯用補助剤投入口１４と、蓋ロック用の操作部材の取付孔１８を形成している。操作パネル部１９ａ、１９ｂは、製品仕様に応じて、いずれかを上部枠体１７の上部に取り付けるもので、パネル部１９ａは、蓋ロック用の操作部材の取付孔１８に連通する第１の連通孔２０を有し、操作パネル部１９ｂは、洗濯用補助剤投入口１３に連通する第２の連通孔２１を有している。
【００１９】
上部枠体１７の後方には、柔軟剤や予約時の液体洗剤を収納するケース２２を設けている。また、上部枠体１７は、図２に示すように、注水口２３も取付け可能としている。
【００２０】
上記構成において、柔軟剤や予約時の液体洗剤を収納するケース２２を設けるタイプの機種の場合、洗濯用補助剤投入口１３が不必要となるため、それを覆うように操作パネル部材１９ａを上部枠体１７に制御装置２４の鍔部２５を挟み込むように取り付ける。
【００２１】
また、柔軟剤や予約時の液体洗剤を収納するケース２２を設けず、洗濯用補助剤投入口１３から直接洗濯槽内に投入するタイプの機種の場合、洗濯用補助剤投入口１３が必要となるため、操作パネル部１９ｂを上部枠体１７に制御装置２４の鍔部２５を挟み込むように取付ける。
【００２２】
これにより、洗濯機の種類やグレードにより、柔軟剤や予約時の液体洗剤を収納するケース２２を設けるタイプの機種と、ケース２２を設けず、洗濯用補助剤投入口１３から直接洗濯槽内に投入するタイプの機種の上部枠体１７を同一のものとすることができる。
【００２３】
また、上部枠体１７に、蓋ロック用の操作部材の取付孔１８を形成しているので、蓋ロックをつける機種と、つけない機種などのような場合においても、操作パネル部材１９ａ、１９ｂを交換することで、上部枠体１７を共用することができる。そして、操作パネル部１９ａ、１９ｂを操作面と一体に構成することにより、構成部品を増やすことなく上部枠体１７を共用することができる。
【００２４】
制御装置２４は、蓋体２６の開閉を検知するリードスイッチ２７を有する制御基板２８とその制御基板２８を内部に収納する制御基板収納容器２９からなり、制御基板収納容器２９の外周面に鍔部２５を設けており、図３に示すように、制御基板収納容器２９の外周形状より上部枠体１７の形状をやや大きく構成し、制御装置２４の左右のクリアランスを少なくする。
【００２５】
そして、上部枠体１７に設けた第１の支持部１７ａと操作パネル部１９ａ、１９ｂに設けた第２の支持部１９ａの間に制御装置２４の外周面の鍔部２５を挟持させる構成としている。
【００２６】
蓋体２６は、上部枠体１７の開口部３０を開閉自在に覆うもので、折り畳み自在に開閉する蓋体２６ａ、２６ｂで構成し、蓋体２６ａは、透明または半透明な材料で形成し、その周縁に、シボ加工を施して非透明部３１を一体に形成している。この非透明部３１の裏面内に、図４に示すように、蓋開検知用のマグネット３２を収納する収納部３３を一体に設け、収納部３３を一体成型により設けるときのスライドパーティングライン３４を周縁の非透明部３１の裏面内に設けている。
【００２７】
上記構成において動作を説明する。蓋体２６ａ、２６ｂを閉じると、蓋体２６ａの収納部３３に収納した蓋開検知用のマグネット３２により、制御基板２８に設けたリードスイッチ２７が動作して、蓋体２６ａが閉じたことを検知し、洗濯槽２内の回転体が所定の動作をする。
【００２８】
蓋体２６ａ、２６ｂを開けて、蓋開検知用のマグネット３２と制御基板２８のリードスイッチ２７がある一定距離より離れると、リードスイッチ２７により蓋体２６ａが開いたことを検知し、洗濯槽２内の回転体は動作しない。
【００２９】
ここで、蓋体２６ａを透明または半透明な材料で形成し、その周縁に非透明部３１を一体に形成しているので、洗濯兼脱水槽内の衣類の状態を確認することができ、非透明部３１の裏面内に蓋開検知用のマグネット３２を収納する収納部３３を一体に設けているので、蓋体２６ａの表面より蓋開検知用のマグネット３２が見えることがなく、デザイン性に優れ、しかも、蓋体２６ａは１つの部材で構成しているため、部品点数、金型費を削減できて、生産性を向上することができ、コストを低減することができる。
【００３０】
また、蓋体２６ａの周縁にシボ加工を施し、非透明部３１を形成しているので、非透明部３１を簡単、確実に、かつ安価に形成することができる。
【００３１】
また、蓋体２６ａは、収納部３３を一体成型により設けるときのスライドパーティングライン３４を周縁の非透明部３１の裏面内に設けているので、蓋体２６ａの表面よりスライドパーティングライン３４が見えることがなく、デザイン性を損なうのを防ぐことができる。
【００３２】
なお、本実施例では、蓋体２６ａの周縁にシボ加工を施して非透明部３１を一体に形成しているが、この非透明部３１は、インサート成形、インモールド成形、２色成形などにより蓋体２６ａの周縁に一体に形成してもよく、同様の作用効果を得ることができる。
【００３３】
また、非透明部３１は、蓋体２６ａの主要部の透明度より透明度が低く、蓋開検知用のマグネット３２を収納する収納部３３が見えにくく、透けて見えるものも含むものである。
【００３４】
（実施例２）
図５に示すように、収納部３５は、蓋開検知用のマグネット３２を収納するもので、図６に示すように、マグネット３２を保持する係止部３６を設け、蓋体２６ａの周縁に一体に形成した非透明部３１の裏面内に一体に設けている。
【００３５】
この収納部３５は蓋体２６ａの前面の中央より左右にずらした位置に設け、収納部３５を構成する金型のスライド方向を中央側に向けて矢印方向（横方向）としている。蓋ゴム３７は蓋体２６ａを閉じたときに上部枠体（図示せず）と当接するもので、収納部３５の両側に設けている。他の構成は上記実施例１と同じである。
【００３６】
上記構成において作用を説明する、マグネット３２を収納する収納部３５を蓋体２６ａの中央より左右にずらした位置に設けることにより、蓋体２６ａの前面側が円形であっても、収納部３５を構成する金型のスライド方向を中央側に向けて横方向とすることで、成型時のスライドパーティングライン３８の幅を狭くすることができ、蓋体２６ａに一体に形成した非透明部３１の範囲を小さくすることができる。このため、蓋体２６ａの透明部の範囲を大きくすることができ、清潔感あるデザインにすることができる。
【００３７】
また、蓋ゴム３７を収納部３５の両側で、収納部３５を構成する金型のスライド範囲を避けた部分に設けることにより、蓋体２６ａの非透明部３１の裏面に配設することができ、デザイン性を損なうことなく、蓋体２６ａを閉じたときの上部枠体と当たり音を低減することができる。
【００３８】
（実施例３）
図７に示すように、収納部３９は、蓋開検知用のマグネット３２を収納するもので、蓋体２６ａの周縁に一体に形成した非透明部３１の裏面内に一体に設けている。この収納部３９は、蓋体２６ａの外周の接線方向（矢印方向）に設け、収納部３９を構成する金型のスライド方向を蓋体２６ａの外周の接線方向としている。他の構成は上記実施例１または２と同じである。
【００３９】
上記構成において作用を説明する。蓋体２６ａの前面側を円形に形成し、収納部３９を蓋体２６ａの外周の接線方向に設けることにより、蓋体２６ａの非透明部３１の範囲内に金型スライドライン４０を収めることができ、デザイン性を損なうことなく、マグネット３２を収納する収納部３９を一体に設けることができる。
【００４０】
【発明の効果】
以上のように、本発明の請求項１に記載の発明によれば、蓋体を透明または半透明な材料で形成し、その周縁に非透明部を一体に形成し、非透明部の裏面内に蓋開検知用のマグネットを収納する収納部を一体に設けたことにより、蓋体の主要部を透明にして洗濯兼脱水槽内の衣類の状態を確認できるとともにデザイン性に優れ、部品点数、金型費を削減できて、生産性を向上することができ、コストを低減することができる。
【図面の簡単な説明】
【図１】本発明の第１の実施例の洗濯機の一部切欠した分解斜視図
【図２】同洗濯機の別仕様の要部斜視図
【図３】同洗濯機の要部断面図
【図４】同洗濯機の蓋体の要部拡大上面図
【図５】本発明の第２の実施例の洗濯機の蓋体の要部上面図
【図６】同洗濯機の蓋体の要部断面図
【図７】本発明の第２の実施例の洗濯機の蓋体の要部上面図
【図８】従来の洗濯機の一部切欠した分解斜視図
【図９】同洗濯機の一部切欠した縦断面図
【符号の説明】
１　洗濯機本体
１７　上部枠体
２６ａ　蓋体
２６ｂ　蓋体
３０　開口部
３１　非透明部
３２　マグネット
３３　収納部
【図１】
2004113276.tif 000003
【図２】
2004113276.tif 000004
【図３】
2004113276.tif 000005
【図４】
2004113276.tif 000006
【図５】
2004113276.tif 000007
【図６】
2004113276.tif 000008
【図７】
2004113276.tif 000009
【図８】
2004113276.tif 000010
【図９】
2004113276.tif 000011